(57)【特許請求の範囲】
【請求項１】
肥料タンク（２）からの肥料（Ｈ）を供給する筒状のガイド体（３）と、このガイド体（３）の下端に接続され且つ畝（Ｕ）内に挿入されるノズル体（４）とを有していて、前記畝（Ｕ）内に肥料（Ｈ）を施肥する施肥装置の散布具であって、
前記ノズル体（４）は、前部から後部にかけて後方末広がり形状な底壁（４ｄ）と、この底壁（４ｄ）の左右両側に設けられた側壁（４ｃ）と、前記左右側壁（４ｃ）の間に設けられた上壁（４ａ）により横長の筒状に形成され且つ前記筒状内部に肥料（Ｈ）を拡散させて放出する放出路（５）が形成され、前記放出路（５）の前側に前記ガイド体（３）が接続されており、
前記放出路（５）の前記底壁（４ｄ）における左右方向の中央部には、この中央部を通る肥料（Ｈ１）の量を抑えて前記放出路（５）の中央部からの肥料（Ｈ１）の放出量と左右側部からの肥料（Ｈ２、Ｈ３）の放出量とを均す後方末広がり形状の隆起部（６）が、当該放出路（５）の上壁（４ａ）との間に空間を残す状態で形成されていることを特徴とする施肥装置の散布具。
【請求項２】
肥料タンク（２）からの肥料（Ｈ）を供給する筒状のガイド体（３）と、このガイド体（３）の下端に接続され且つ畝（Ｕ）内に挿入されるノズル体（４）とを有していて、前記畝（Ｕ）内に肥料（Ｈ）を施肥する施肥装置の散布具であって、
前記ノズル体（４）は、横長の筒形状で且つ前記ガイド体（３）に接続された前部から後部にかけて後方末広がり形状であり、内部に肥料（Ｈ）を拡散させて放出する放出路（５）が形成され、
この放出路（５）の底面における左右方向の中央部には、この中央部を通る肥料（Ｈ１）の量を抑えて前記放出路（５）の中央部からの肥料（Ｈ１）の放出量と左右側部からの肥料（Ｈ２、Ｈ３）の放出量とを均す隆起部（６）が形成され、
前記ノズル体（４）の外底面の左右方向中央に下方へ突出する中央溝切体（７）を設けていることを特徴とする施肥装置の散布具。
【請求項３】
前記ノズル体（４）の外底面の左右側部に下方へ突出し且つ突出長さが前記中央溝切体（７）より短い側部溝切体（８）を設けていることを特徴とする請求項２に記載の施肥装置の散布具。
【請求項４】
肥料タンク（２）からの肥料（Ｈ）を供給する筒状のガイド体（３）と、このガイド体（３）の下端に接続され且つ畝（Ｕ）内に挿入されるノズル体（４）とを有していて、前記畝（Ｕ）内に肥料（Ｈ）を施肥する施肥装置の散布具であって、
前記ノズル体（４）は、前部から後部にかけて後方末広がり形状な底壁（４ｄ）と、この底壁（４ｄ）の左右両側に設けられた側壁（４ｃ）と、前記左右側壁（４ｃ）の間に設けられた上壁（４ａ）とにより横長の筒状に形成され且つ前記筒状内部に肥料（Ｈ）を拡散させて放出する放出路（５）が形成されており、
この放出路（５）の前記底壁（４ｄ）における左右方向の中央部には、この中央部を通る肥料（Ｈ１）の量を抑えて前記放出路（５）の中央部からの肥料（Ｈ１）の放出量と左右側部からの肥料（Ｈ２、Ｈ３）の放出量とを均す隆起部（６）が形成され、前記ガイド体（３）の下端部は、前記隆起部（６）の前側で前記上壁（４ａ）を貫通して接続されていて前記放出路（５）の前記底壁（４ｄ）に対向していることを特徴とする施肥装置の散布具。
【発明の詳細な説明】
【技術分野】
【０００１】
本発明は、畝内に肥料を拡散施肥する施肥装置の散布具に関するものである。
【背景技術】
【０００２】
従来、トラクタに牽引される作業機に装着された施肥装置に設けられ、成形途中の畝に挿入して用いられる施肥ノズルが知られている。
この施肥ノズルは、パイプ状のノズル本体の下端部前面に作溝部材が略下方に延びた状態で一体に取付けられており、施肥ノズルの下端部を畝に挿入したまま前進させることで、作溝部材の後方に施肥溝を作溝することができる。また、施肥ノズルは、ノズル本体の下端で且つ作溝部材の上端部に肥料排出口が形成されており、肥料排出口から排出された肥料を作溝部材で案内して施肥溝の底部に到達させることで、肥料排出口に土が詰まらないように構成されている（特許文献１参照）。
【先行技術文献】
【特許文献】
【０００３】
【特許文献１】特開２００６−２３０２９３号公報
【発明の概要】
【発明が解決しようとする課題】
【０００４】
上記従来の施肥ノズルの作溝部材としては、施肥ノズルの下端部から下方に延設した略台形状の作溝板が用いられており、この作溝板の背面部の略中央部には、施肥溝の幅方向の全体に亘って均等に散布させる略半円筒形状の肥料案内体が左右方向に沿って形成されている。
しかしながら、作溝板は板状体であって背面部（上面）が露出しており、この背面部上を肥料が流下している際に施肥溝の周囲の土が崩れ落ちて肥料の拡散が妨げられるため、施肥溝の幅方向全体に亘って均等に肥料を散布させることが困難になっている。
【０００５】
本発明は、このような点に鑑みて、肥料を供給するガイド体の下端に接続されたノズル体を横長の筒形状で且つ後方末広がり形状とし、ノズル体の内部における放出路の中央部に隆起部を形成することで、周囲の土によって妨害されることなく畝内でノズル体によって左右方向に略均等な施肥を容易に行うことができる施肥装置の散布具を提供することを目的とする。
【課題を解決するための手段】
【０００６】
前記課題を解決するために、本発明に係る施肥装置の散布具は、以下の技術的手段を採用した。
第１に、肥料タンク２からの肥料Ｈを供給する筒状のガイド体３と、このガイド体３の下端に接続され且つ畝Ｕ内に挿入されるノズル体４とを有していて、前記畝Ｕ内に肥料Ｈを施肥する施肥装置の散布具であって、前記ノズル体４は、横長の筒形状で且つ前記ガイド体３に接続された前部から後部にかけて後方末広がり形状であり、内部に肥料Ｈを拡散させて放出する放出路５が形成され、この放出路５の底面における左右方向の中央部には、この中央部を通る肥料Ｈ１の量を抑えて前記放出路５の中央部からの肥料Ｈ１の放出量と左右側部からの肥料Ｈ２、Ｈ３の放出量とを均す隆起部６が形成されていることを特徴とする。
【０００７】
第２に、前記ノズル体４の外底面の左右方向中央に下方へ突出する中央溝切体７を設けていることを特徴とする。
第３に、前記ノズル体４の外底面の左右側部に下方へ突出し且つ突出長さが前記中央溝切体７より短い側部溝切体８を設けていることを特徴とする。
第４に、前記ガイド体３の下部を前後に長い断面略長円形状又は断面略楕円形状に形成していることを特徴とする。
これらの特徴により、肥料Ｈを供給するガイド体３下端に横長の筒形状で且つ後方末広がり形状のノズル体４を接続し、ノズル体４の内部で肥料Ｈを拡散して放出する放出路５の底面における左右方向の中央部に隆起部６を形成することで、周囲の土が崩れても妨害されることなく畝Ｕの土中において放出路５の中央部からの肥料Ｈ１の放出量と左右側部からの肥料Ｈ２、Ｈ３の放出量とを均すことができ、ノズル体４内部で肥料Ｈを施肥幅に亘って略均等に拡散させることができる。
【０００８】
また、ノズル体４の外底面の左右方向中央に下方突出する中央溝切体７を設けることで、ノズル体４の左右中央の下方における畝Ｕの土を掘って溝切りでき、土中に放出された中央の肥料Ｈを畝Ｕ内のより深い位置で施肥することが可能となる。
さらに、ノズル体４の外底面の左右側部に下方突出状で且つ突出長さが中央溝切体７より短い側部溝切体８を設けることで、ノズル体４の左右側部の下方における畝Ｕの土を、中央溝切体７によって掘られる深さよりも浅く掘って溝切りし、ノズル体４の下方で畝断面略円弧状となるように肥料Ｈを畝Ｕ内に散布することができる。
【０００９】
そして、ガイド体３の下部を、前後に長い断面略長円形状又は断面略楕円形状に形成することで、土中におけるガイド体３下部の前後方向の抵抗を減らし、下部が埋没したガイド体３を畝Ｕ内で容易に前進させることができる。
本発明の最も好ましい技術的手段は、肥料タンク２からの肥料Ｈを供給する筒状のガイド体３と、このガイド体３の下端に接続され且つ畝Ｕ内に挿入されるノズル体４とを有していて、前記畝Ｕ内に肥料Ｈを施肥する施肥装置の散布具であって、前記ノズル体４は、前部から後部にかけて後方末広がり形状な底壁４ｄと、この底壁４ｄの左右両側に設けられた側壁４ｃと、前記左右側壁４ｃの間に設けられた上壁４ａにより横長の筒状に形成され且つ前記筒状内部に肥料Ｈを拡散させて放出する放出路５が形成され、前記放出路５の前側に前記ガイド体３が接続されており、前記放出路５の前記底壁４ｄにおける左右方向の中央部には、この中央部を通る肥料Ｈ１の量を抑えて前記放出路５の中央部からの肥料Ｈ１の放出量と左右側部からの肥料Ｈ２、Ｈ３の放出量とを均す後方末広がり形状の隆起部６が、当該放出路５の上壁４ａとの間に空間を残す状態で形成されていることを特徴とする。
また、肥料タンク２からの肥料Ｈを供給する筒状のガイド体３と、このガイド体３の下端に接続され且つ畝Ｕ内に挿入されるノズル体４とを有していて、前記畝Ｕ内に肥料Ｈを施肥する施肥装置の散布具であって、前記ノズル体４は、前部から後部にかけて後方末広がり形状な底壁４ｄと、この底壁４ｄの左右両側に設けられた側壁４ｃと、前記左右側壁４ｃの間に設けられた上壁４ａとにより横長の筒状に形成され且つ前記筒状内部に肥料Ｈを拡散させて放出する放出路５が形成されており、この放出路５の前記底壁４ｄにおける左右方向の中央部には、この中央部を通る肥料Ｈ１の量を抑えて前記放出路５の中央部からの肥料Ｈ１の放出量と左右側部からの肥料Ｈ２、Ｈ３の放出量とを均す隆起部６が形成され、前記ガイド体３の下端部は、前記隆起部６の前側で前記上壁４ａを貫通して接続されていて前記放出路５の前記底壁４ｄに対向していることを特徴とする。
【発明の効果】
【００１０】
本発明によると、肥料を供給するガイド体の下端に接続されたノズル体を横長の筒形状で且つ後方末広がり形状とし、ノズル体の内部における放出路の中央部に隆起部を形成して、周囲から崩れてきた土によって妨害されることなくノズル体にて左右方向に略均等な拡散施肥を畝内で容易に行うことができる。
【図面の簡単な説明】
【００１１】
【図１】本発明に係る施肥装置を載せたロータリ耕耘機の側面図。
【図２】施肥装置の散布具の斜視図。
【図３】散布具の背面斜視図。
【図４】散布具の要部平面図。
【図５】畝内の散布具及び散布された肥料の正面図。
【図６】ロータリ耕耘機の背面斜視図。
【図７】散布具の取付部分を示す斜視図。
【図８】比較例に係るロータリ耕耘機の耕耘爪の正面図。
【図９】耕耘爪の要部斜視図。
【発明を実施するための形態】
【００１２】
以下、本発明の実施の形態を図面を参照して説明する。
図１、５〜７には、施肥装置４７を搭載したロータリ耕耘機２１が示され、図２〜４には施肥装置４７に取り付けられた本発明に係る散布具１が示されている。
ロータリ耕耘機２１は、ロータリ耕耘部３１、畝成形器４１及び施肥装置４７を有しており、トラクタＴの後部にリンク機構２２を介して昇降自在に連結されたロータリ機枠２３によって支持されている。
このロータリ機枠２３は、左右方向中央部のギアケース２４から左右両側に突設するサポートアーム２５と、これら左右のサポートアーム２５から上方へ延設された施肥機枠２６と、前記ギアケース２４から上方突出状に固定されたトップマスト２７と、ギアケース２４の下端側に上部が連結されている伝動ケース２８とを備えている。
【００１３】
この伝動ケース２８の下部には、圃場Ｆを耕耘する複数の耕耘爪（鉈爪タイプ）２９を有する爪軸３０が、左右軸心回りに回転自在に設けられロータリ耕耘部３１を形成している。
ロータリ耕耘部３１は、センタドライブ駆動方式であって、トラクタＴのＰＴＯ軸からの駆動力が、ギアケース２４及び伝動ケース２８内に設けられた伝動機構を介して爪軸３０に伝達される。この爪軸３０が図１の矢印Ｘ方向に回転することで、耕耘爪２９は土を耕起反転すると共に砕土する。
【００１４】
なお、ロータリ耕耘部３１は、サイドドライブ式のものを採用してもよい。
ロータリ機枠２３には、ロータリ耕耘部３１を覆う耕耘カバー３２が支持されている。
この耕耘カバー３２は、ロータリ耕耘部３１の上方を覆う側面視で円弧状の板体であって、取付手段３３によって、ロータリ機枠２３に対して爪軸３０の軸心を中心として回動自在で且つ任意の回動位置で固定可能に、該ロータリ機枠２３に取り付けられている。
取付手段３３は、左右各サポートアーム２５に固定された左右一対の固定ブラケット３４と、耕耘カバー３２の上面に固定された左右一対の可動ブラケット３５とを有する。
【００１５】
左右各可動ブラケット３５には爪軸３０の軸心を中心とする円弧状の長孔３５ａが前後一対形成され、ロータリ機枠２３に対して可動ブラケット３５と共に耕耘カバー３２が爪軸３０を中心として回動可能とされ、ネジ、ボルト等の締結具３６で固定ブラケット３４と可動ブラケット３５とを締結することにより、耕耘カバー３２が任意の回動位置でロータリ機枠２３に対して固定されるように構成されている。
前記可動ブラケット３５は後方に延長されており、この延長部分に支持フレーム３７が固定されている。この支持フレーム３７及び耕耘カバー３２に畝Ｕの成形を行う畝成形器４１が取り付けられており、ロータリ機枠２３に対して、耕耘カバー３２、支持フレーム３７、畝成形器４１が爪軸３０を中心として角度調節自在である。
【００１６】
これによって、後述するゲージ輪４４の高さ調整部４６によってロータリ耕耘部３１の耕深がかわった場合でも、取付手段３３を調節して畝成形器４１を略水平に支持し、且つ支持フレーム３７に取り付けられた散布具１を所定の高さに保つことが可能となる。
支持フレーム３７は、左右の可動ブラケット３５の後端に左右方向に配置されたツールバー３８と、このツールバー３８の左右方向中途部に設けられた取付具３９とを有する。
ツールバー３８は、角パイプ等によって構成され、左右可動ブラケット３５の後端に溶接等によって連結されている。
【００１７】
取付具３９は、図１、６、７に示す如く、施肥装置４７における散布具１を取り付けるものであって、ツールバー３８の左右方向中途部であって左右対称となる位置に２箇所設けられている。
支持フレーム３７の下方側には、ロータリ耕耘部３１から後方に放てきされる土を左右方向中央に案内する左右一対の案内板４０と、左右の各案内板４０の内側縁から後方へ延設している畝成形器４１とが配備されている。
案内板４０は、平面視で略ハの字状に２つの板状体を配置したものであって、左右案内板４０間に畝成形口４０ａを形成していて、後方に放てきされた土を中央の畝成形口４０ａへ集めて後方の畝成形器４１に案内している。左右の案内板４０は、若干後傾した断面円弧状となっており、ロータリ耕耘部３１で耕耘され後方へ放てきされた土を掻き上げることができる。
【００１８】
図１、６に示したように、畝成形器４１は、畝成形口４０ａから略後方へ延びる天板４２と、この天板４２の左右端に背面視で略ハの字状に取り付けられた左右一対の側板４３とを有しており、天板４２と左右の側板４３とが畝成形口４０ａの縁に沿うように設けられている。
天板４２は、前端が左右の案内板４０の間で且つ畝成形口４０ａ上方に取り付けられた板体であり、後方にいくにつれて徐々に下がるように配備されており、この天板４２に沿って畝Ｕの上面が形成される。また、天板４２には、後述する散布具１のガイド体３を挿通させる挿通孔４２ａが形成されている。
【００１９】
左右各側板４３は、畝成形口４０ａの側縁且つ天板４２の側端に沿って取り付けられた板状体で、図６の如く、背面視で左右方向に末広がりとなるように配置されている。この各側板４３に土が沿うことで畝Ｕの側面が形成される。つまり、ロータリ耕耘部３１で耕耘された土が、畝成形器４１内をくぐることで断面略台形状の畝Ｕに成形される。
一方、畝成形器４１の左右両側には、畝Ｕの左右両側を転動してロータリ耕耘部３１の耕深を決定するゲージ輪（ゲージ部材）４４が配置されている。
左右のゲージ輪４４は、左右サポートアーム２５の中途部に揺動自在に取り付けられた支持枠体４５によって回動自在に支持されており、この支持枠体４５と前記トップマスト２７とにわたって、ゲージ輪４４の高さを調整する高さ調整部４６が設けられている。
【００２０】
図１、６、７で示す如く、施肥装置４７は、上述した施肥機枠２６と、この施肥機枠２６によって支持されていて肥料Ｈを貯留する左右一対の肥料タンク２と、これらの左右肥料タンク２の下端側にそれぞれ取り付けられ且つ肥料Ｈを繰り出す左右の肥料繰出機構４８と、これら各肥料繰出機構４８から繰り出された肥料Ｈを下方に案内する各案内ホース４９と、これらの案内ホース４９によって送られた肥料Ｈをロータリ耕耘部３１の後方で且つ畝Ｕ内に散布する左右の散布具１とを有している。
施肥機枠２６は、左右の各サポートアーム２５の左右方向中途部に揺動自在に取り付けられた左右の支柱受け５０と、この左右支柱受け５０に対し固定具５１ａによって高さ調整自在に支持できる左右の支柱５１と、この左右支柱５１の上端間に亘って架設されていて該支柱５１に取付固定された横梁部材５２と、この横梁部材５２に固定されたタンク取付フレーム５３とを有する。
【００２１】
各支柱受け５０は、各サポートアーム２５の左右方向中途部の上面に設けられた揺動ブラケット５０ａによって左右軸回りに回動自在に支持されている。
横梁部材５２の左右方向略中央部には、リンク機構２２の連結ロッド２２ａが連結されたリンク連結部５２ａが設けられており、左右の支柱受け５０及び支柱５１の揺動が規制されていると共に、連結ロッド２２ａの長さを調節することによって、肥料タンク２の水平度が調節可能となっている。
肥料タンク２は、前記タンク取付フレーム５３に左右に各１つずつ取り付けられ、上方開口状で下方へいくほど先細り且つ下部中央に吐き出し口を有したホッパ２ａと、このホッパ２ａの上方開口部を塞ぐ蓋体２ｂとを有している。よって、肥料タンク２内における粒状、粉状等の肥料Ｈは、ホッパ２ａの下部中央に集って吐き出し口から肥料繰出機構４８へ送り込まれる。
【００２２】
肥料繰出機構４８は、肥料タンク２の下端に設けられたケーシング４８ａと、このケーシング４８ａ内部に回動自在に支持された繰出ロール５４とを有している。
この繰出ロール５４は、左右軸回りに所定の回転速度で回転可能な円柱体であって、この周面には複数の肥料繰り出し用の繰出凹部５４ａが周方向に沿って所定間隔ごとに形成されている。また、繰出ロール５４の回転速度を調節することによって、肥料Ｈの繰り出し量を調節することができる。
繰り出された肥料Ｈは、案内ホース４９を通って左右の各散布具１に供給される。
【００２３】
散布具１は、図１〜７に示されたように、案内ホース４９からの肥料Ｈを下方へ供給するガイド体３と、このガイド体３の下端に接続され且つ畝Ｕ内に挿入されるノズル体４とを有している。
ガイド体３は、案内ホース４９の下端に取り付けられた筒状体であって、図２、７に示した如く、上部が前述したツールバー３８の取付具３９によって高さ調整自在に取り付けられる取付部３ａを形成し、下部が取付部３ａよりも径小で且つ前後に長い断面略長円形状又は断面略楕円形状に形成された土中挿入部３ｂを構成している。
【００２４】
取付部３ａは、上端に前記案内ホース４９が接続されていて肥料タンク２からの肥料Ｈがガイド体３内部に送り込まれる。また、取付部３ａは、ガイド体３の上端から下方へ所定長さの断面略円形状に形成され、ツールバー３８の取付具３９に内嵌されて取り付けられる。
なお、取付具３９は、角パイプ状のツールバー３８周面を外嵌するブラケット部３９ａと、このブラケット部３９ａの後面に取り付けれていてガイド体３を内部に挿通させる筒状の挿通部３９ｂとを有している。この挿通部３９ｂ周面の後部側が開口しており、この開口部を通ってガイド体３の取付部３ａを径内外方向に移動可能な固定体３９ｃが設けられている。この固定体３９ｃをネジ、ボルト等の固定具によって取付部３ａの外周面に押し付け固定することで、畝Ｕ内での意図した施肥深さに応じてガイド体３の高さを調整できる。
【００２５】
土中挿入部３ｂは、取付部３ａ下端から下方に延設され且つ畝成形器４１の天板４２の挿通孔４２ａを通って畝Ｕ内に埋没していて、断面形状の左右幅が前後幅よりも細くなるような向きに略長円状又は略楕円状に形成されている。したがって、畝Ｕの土中における土中挿入部３ｂの前後方向の抵抗が減り、ガイド体３を畝Ｕ内で容易に前進させることができ、土中挿入部３ｂは下端から土中のノズル体４へ肥料Ｈを送り込むこととなる。
前記ノズル体４は、ガイド体３下端に前部が接続されていて、この前部から後部にかけて後方末広がり形状で且つ後方開口した（この開口部を放出口４ｅとする）横長の筒形状となっている。
【００２６】
詳しくは、図３、４で示すように、前記ガイド体３下端の開口縁に溶接などによって取り付けられ且つ前方から後方にかけて幅広となるように延設された略台形状の上壁４ａと、この上壁４ａの前縁から下方に延設した前壁４ｂと、上壁４ａの左右側縁から下方に延設した左右の側壁４ｃと、これら、前壁４ｂ及び左右側壁４ｃの下端側に取り付けられた上壁４ａと略同一形状の底壁４ｄとを有している。このような筒形状のノズル体４は、ガイド体３と連通していて、ガイド体３の下端に後方にいくにしたがって下向きに傾斜するように取り付けられており、ガイド体３から進入した肥料Ｈはノズル体４内部を転がって後方から畝Ｕ内に放出される。
【００２７】
ノズル体４の内部である底壁４ｄ上面には、ガイド体３からの肥料Ｈを左右方向に拡散させて左右方向で肥料Ｈの放出量を略均等とする略台形状の放出路５が設けられている。
この放出路５及びノズル体４の左右幅は、前部から後部に亘りガイド体３の左右幅よりも広く形成されており、ノズル体４が土中を進む際には、ノズル体４及び放出路５におけるガイド体３の左右幅よりも左右外方へ突出した部分がガイド体３の左右幅狭の土中挿入部３ｂよりも幅広い範囲の土を切り崩しながら前進することとなる。
しかし、放出路５は上方が前記上壁４ａによって覆われているため、ノズル体４が土中進行中で土が切り崩されても放出路５の上方から土が侵入することを防ぐことができ、肥料Ｈの左右拡散に支障を及ぼすことはない。
【００２８】
図２〜４に示されたように、放出路５の底面における左右方向の中央部には、肥料Ｈを左右方向に略均等に拡散させる隆起部６が設けられている。
この隆起部６は、底壁４ｄから緩やかに上方へ膨らみはじめる先端部６ａがガイド体３下端の開口から所定長さだけ後方に位置していて、先端部６ａから下流端までに亘って左右方向中央に位置する膨出部６ｂが底壁４ｄを上方へ膨出させて形成されている。したがって、ガイド体３下端からノズル体４内部に入ってきた肥料Ｈは、まず隆起部６の先端部６ａに当たり、左右へ略均等に拡散される肥料Ｈ２、Ｈ３と、そのまま真っ直ぐ流下する肥料Ｈ１とに分かれる。
【００２９】
分岐された肥料Ｈ１〜Ｈ３は、隆起部６及び放出路５の左右の平坦な部分（平坦部４ｆ、４ｇとする）上を下流側へ向けて転がっていき放出路５の下流端から畝Ｕ内に放出され、放出路５の下端から放出される肥料Ｈの量（肥料Ｈの放出量）はノズル体４の左右方向にわたって略等しく均される。つまり、上方に膨出する隆起部６を形成することで、ガイド体３から真っ直ぐ落下してくる肥料Ｈの勢いを削ぎ、左右方向中央部での上壁４ａと底壁４ｄとの距離を狭くすることで放出路５の中央部を通る肥料Ｈ１の量を抑えることができる。その結果、放出路５の中央部からの肥料Ｈ１の放出量と、左右側部からの肥料Ｈ２、Ｈ３の放出量とを略均等とすることができる。
【００３０】
なお、放出口４ｅは、隆起部６が放出路５の下端まで上方に隆起しているため、左右方向の中央部の上下幅が左右側部の上下幅よりも狭く形成されている。
また、ノズル体４は、土中における散布具１の進行方向（略水平方向）に対して側面視で約３０度の角度をなして後下方に延設するように設けられている。これによって、ノズル体４は、内部を肥料Ｈが拡散しながら転がるのに必要で、且つ土中のノズル体４の抵抗を可及的に少なくするような後方下向き傾斜を有している。
ノズル体４の底壁４ｄの下面（ノズル体４の外底面）には、中央溝切体７とこの中央溝切体７の左右外側方に位置する左右一対の側部溝切体８とを設けている。
【００３１】
中央溝切体７は、底壁４ｄの下面の左右方向中央で且つ隆起部６の周縁に略沿う位置から後下方へ突出する略三角柱状体であって、前方から後方にかけて後方末広がりとなるように略三角形状の板材を折り曲げて断面略Ｖ字形状に形成されている。つまり、中央溝切体７は、ノズル体４の左右方向中央部の直下における土を掻き分けて掘りながら前進することとなる。
前記側部溝切体８は、底壁４ｄの外底面の左右側部（底壁４ｄにおける平坦部４ｆ、４ｇの外底面）から後下方に突出しており、中央溝切体７と略相似形状に且つ小さく形成された柱体８ａと、この柱体８ａの尖った前側辺に沿って前方に設けられた断面略円形状の棒体８ｂとを有している。なお、棒体８ｂは、後端が柱体８ａ先端を巻くように後方へ湾曲し、棒体８ｂの後端面と柱体８ａの後面とは側面視で略面一となっている。
【００３２】
側部溝切体８（柱体８ａ及び棒体８ｂ全体として）の後下方への突出長さは、中央溝切体７よりも短く設定されており、ノズル体４の左右側部の直下であって中央溝切体７よりも浅い位置にある土を掻き分けることとなる。
また、側部溝切体８における柱体８ａと棒体８ｂとを合わせた前後長さは、中央溝切体７よりも若干短く設定されている。
第１実施形態に係る施肥装置４７の散布具１を装着したロータリ耕耘機２１の使用態様を説明する。
【００３３】
まず、圃場Ｆに下ろしたロータリ耕耘機２１をトラクタＴで牽引してロータリ耕耘部３１で圃場Ｆを耕耘する。
次に、ロータリ耕耘部３１の後方にある案内板４０によって、耕耘された土が中央に集められ、その土が畝成形器４１をくぐることで畝Ｕが形成されると同時に、成形される畝Ｕ内に散布具１から肥料Ｈが散布される。
ここで、肥料タンク２からの肥料Ｈは、案内ホース４９及びガイド体３を経てノズル体４の内部に供給される。供給された肥料Ｈは、ノズル体４内部で放出路５の隆起部６にぶつかり、中央だけでなく左右にも分散され、放出路５における中央部からの肥料Ｈ１の放出量と左右側部からの肥料Ｈ２、Ｈ３の放出量とが均されて、畝Ｕ内で肥料Ｈを全施肥幅に亘って略均等に拡散させることができる。
【００３４】
このとき、図５に示したように、中央溝切体７がノズル体４の直下における土を掻き分けて掘りながら前進して中央溝切体７の直後に空間が形成されることによって断面略Ｖ字形の溝Ｍ１が切られ、この溝Ｍ１の底に放出路５の中央部から土中に放出された肥料Ｈ１が散布される。
これと同時に、左右の側部溝切体８によってノズル体４の左右側部の直下の土が掻き分けられ、左右側部溝切体８の直後にできる空間（断面略Ｖ字形の溝Ｍ２、Ｍ３）が形成され、溝Ｍ２、Ｍ３の深さは、図５中にて１点鎖線で示した如く、中央溝切体７による溝Ｍ１の深さよりも浅くなる。
【００３５】
したがって、浅い溝Ｍ２、Ｍ３の底に放出路５の左右側部から土中に放出された肥料Ｈ２、Ｈ３が散布されることで、図５にて示したように、ノズル体４の下方で畝断面略円弧状となるように肥料Ｈを畝Ｕ内に散布することができる。
これによって、栽培する野菜の根域だけに成育に必要な肥料Ｈを局所散布することができ、肥料Ｈを無駄なく活用して減肥を行うことが可能となる。特に、レタスやキャベツ等の葉菜類の根が肥料焼けすることなく畝Ｕ内において根域を中心として略円弧状に肥料Ｈを散布できるため、不必要な肥料Ｈを可及的に減らすことができる。
【００３６】
図８、９は、比較例に係る施肥装置搭載型のロータリ耕耘機６１と、このロータリ耕耘機６１に取り付けられた耕耘爪６２を示している。
比較例と第１実施形態との違いは、ロータリ耕耘部３１の前方にて施肥をしている点と、第１実施形態における鉈爪タイプの耕耘爪２９と異なった局所撹拌用の耕耘爪６２を有する点とである。
ロータリ耕耘機６１は、耕耘カバー３２の前方から案内ホース６３を垂らしており、耕耘される前の圃場Ｆに肥料Ｈが散布される。この散布位置は後述する耕耘爪６２の前方であり、肥料Ｈは土ごとロータリ耕耘部３１によって耕起、撹拌されることとなる。
【００３７】
比較例におけるロータリ耕耘部３１は、伝動ケース２８から左右外方に配備された傾斜爪軸３０ａの外隣りに肥料Ｈを局所撹拌する耕耘爪６２を有している。この耕耘爪６２は、爪軸３０に取り付けられた爪ブラケット３０ｂに対してネジ、ボルト等の固定具３０ｃによって固定されている。
図９に示されたように、耕耘爪６２は、短尺タイプの爪であって、側面視で略への字形に途中で左右方向内方へ約４０°屈曲しており、この屈曲した部分（屈曲部）６２ａの両側縁には、土を切り込んで撹拌するための刃６２ｂが設けられている。このような両刃型であるために、同一形状の耕耘爪６２を爪軸３０の左右で兼用できる。耕耘爪６２の基端側には、固定具３０ｃを挿通させる固定孔６２ｃが設けられている。
【００３８】
耕耘爪６２の長さは、鉈爪タイプの耕耘爪２９よりも短く（屈曲部６２ａも含めた上下長さが約１２ｃｍ）設定されており、前方で散布された肥料Ｈを限られた範囲で撹拌し、栽培する野菜の根域だけに肥料Ｈを撹拌混入することが可能となる。
また、耕耘爪２９は、側面視で爪軸３０から放射状に複数延びているが、局所撹拌用の耕耘爪６２は左右に１本ずつ配備されており、撹拌範囲が抑えられている。耕耘爪６２は、栽培する野菜の根域に応じた長さ及び屈曲角度としてもよい。
なお、本発明は、前述した実施形態に限定されるものではない。施肥装置４７の散布具１等の各構成又は全体の構造、形状、寸法などは、本発明の趣旨に沿って適宜変更することができる。
【００３９】
ガイド体３の土中挿入部３ｂは、取付部３ａと同径で断面略円形であってもよく、土中挿入部３ｂの前側にアングル材を設けて土中での抵抗を減らすものとしてもよい。
ノズル体４は、内部で肥料Ｈが転がって左右方向に拡散するのであれば、土中での抵抗がなるべく少なくなるように、略水平から若干後下方へ傾斜する角度でガイド体３に取り付けられていてもよい。
中央溝切体７は、前側に断面略円形状の棒体を有していてもよい。
中央溝切体７及び側部溝切体８を設けなくてもよく、このとき、肥料Ｈは畝Ｕ内の所定深さにて略横一列に散布されることとなる。
【００４０】
また、中央溝切体７のみを設け、側部溝切体８は設けないものとしてもよく、この場合には、中央溝切体７によって断面略Ｖ字形の溝Ｍ１が形成され、畝Ｕ内で野菜の根を中心として略Ｖ字状に肥料Ｈを散布することができる。
また、側部溝切体８は、柱体８ａのみで、棒体８ｂを有さないものであってもよい。
【符号の説明】
【００４１】
１          施肥装置の散布具
２          肥料タンク
３          ガイド体
４          ノズル体
５          放出路
６          隆起部
７          中央溝切体
８          側部溝切体
Ｈ          肥料
Ｈ１        放出路の中央部を通る肥料
Ｈ２、Ｈ３  放出路の左右側部を通る肥料
Ｕ          畝
【図１】
0005468833.tif 000002
【図２】
0005468833.tif 000003
【図３】
0005468833.tif 000004
【図４】
0005468833.tif 000005
【図５】
0005468833.tif 000006
【図６】
0005468833.tif 000007
【図７】
0005468833.tif 000008
【図８】
0005468833.tif 000009
【図９】
0005468833.tif 000010